(57)【要約】  【課題】被記録媒体に付着したインクの乾燥を促進する。  【解決手段】ディスクドライブにおいては、モード切替部によりデータ記録モードに切り替えて（Ｓ１００）、データ記録面にデータの記録を行なう。データ記録終了後（Ｓ１０２：Ｙｅｓ）、モード切替部により画像記録モードに切り替えて（Ｓ１０４）、スピンドルモータにより光ディスクを回転させながら画像記録面に画像の記録を行なう。画像記録終了後（Ｓ１０３：Ｙｅｓ）、モード切替部により乾燥モードに切り替えて（Ｓ１０７）、周期的にその速度を変化させ、且つ、常にその速度が画像記録モードのときよりも速くなるようにスピンドルモータを回転させて（Ｓ１０８）、光ディスクを回転させることにより画像記録面のインクを乾燥させる。所定時間経過後（Ｓ１０９：Ｙｅｓ）、スピンドルモータの回転を止め、各装置を初期状態に戻す（Ｓ１１０）。【選択図】図７
2006272915.tif 000002
【特許請求の範囲】
【請求項１】
回転する被記録媒体に画像を記録する記録装置であって、
前記被記録媒体を回転駆動する回転駆動装置と、
前記被記録媒体の画像記録面にインクを噴射するインクジェットヘッドと、
前記回転駆動手段により前記被記録媒体を回転させながら前記インクジェットヘッドにより前記画像記録面にインクを噴射する画像記録モードと、この画像記録モードの後に前記回転駆動手段により所定時間前記被記録媒体を回転させることにより前記画像記録面に噴射されたインクを乾燥させる乾燥モードとを切り替える制御手段と、
を有すること特徴とする記録装置。
【請求項２】
前記制御手段は、前記乾燥モードにおける前記被記録媒体の回転速度が、前記画像記録モードにおける回転速度よりも速くなるように、前記回転駆動手段を制御することを特徴とする請求項１に記載の記録装置。
【請求項３】
前記制御手段は、前記乾燥モードにおける前記被記録媒体の回転速度を周期的に変化させるように前記回転駆動手段を制御することを特徴とする請求項１又は２に記載の記録装置。
【請求項４】
前記被記録媒体の回転中心の近傍部から外周部に亙って前記画像記録面に近接して配置された遮蔽部材を有することを特徴とする請求項１〜３の何れかに記載の記録装置。
【請求項５】
前記遮蔽部材は、前記インクジェットヘッドよりも前記被記録媒体の回転方向上流側に配置されていることを特徴とする請求項４に記載の記録装置。
【請求項６】
前記遮蔽部材は、前記画像記録面に直交する方向から見て、前記被記録媒体の回転方向と直交する方向に対して傾斜していることを特徴とする請求項４又は５に記載の記録装置。
【請求項７】
前記遮蔽部材に、回転方向下流側に行くほど前記画像記録面から離れるように傾斜した傾斜面が形成されていることを特徴とする請求項４又は５に記載の記録装置。
【請求項８】
前記遮蔽部材は、前記画像記録面に近接する側に向かって、この画像記録面に直交する方向に延びる複数の遮蔽柱部を有することを特徴とする請求項４又は５に記載の記録装置。
【請求項９】
前記遮蔽部材の内部に、前記被記録媒体とともにその回転方向上流側から流れてくる空気流を前記回転方向上流側へ戻す空気流路が形成されていることを特徴とする請求項４又は５に記載の記録装置。
【請求項１０】
前記遮蔽部材は、前記インクジェットヘッドが存在し得る領域を除いた前記被記録媒体と対向する領域の全域を占めるように配置されていることを特徴とする請求項４に記載の記録装置。
【請求項１１】
前記被記録媒体の前記画像記録面と反対側に形成されたデータ記録面にデータを記録するデータ記録ヘッドを備え、
前記インクジェットヘッドと前記データ記録ヘッドが、前記回転体に関して互いに反対側に配置されていることを特徴とする請求項１〜１０の何れかに記載の記録装置。
【請求項１２】
回転する被記録媒体に画像を記録する記録装置であって、
前記被記録媒体を回転駆動する回転駆動手段と、
前記被記録媒体の画像記録面にインクを噴射するインクジェットヘッドと、
前記被記録媒体の回転中心の近傍部から外周部に亙って前記画像記録面に近接して配置された遮蔽部材を有することを特徴とする記録装置。
【発明の詳細な説明】
【技術分野】
【０００１】
本発明は、平面状の画像記録面を有する回転している被記録媒体に画像を記録する記録装置に関する。
【背景技術】
【０００２】
ＣＤ、ＤＶＤのような被記録媒体の、データを記録するデータ記録面と反対側の画像記録面に画像などを記録する装置として、被記録媒体にデータを記録するディスクドライブに、回転している被記録媒体にノズルからインクを噴射して画像の記録を行うインクジェットヘッドが設けられたものがある。例えば、特許文献１に記載のプリント装置は、ディスクを回転させるロータリーモータと、ラジアル軸上に一列に並んで配置された複数のノズルを備えたインクジェットヘッドとを有している。このプリント装置では、ロータリーモータによりディスクを回転させている間に、インクジェットヘッドを駆動させてインクをディスク上に噴射してディスク表面に画像の記録を行う。
【０００３】
【特許文献１】特表２００２−５３１２９０（図２）
【発明の開示】
【発明が解決しようとする課題】
【０００４】
特許文献１のプリント装置では、画像記録面にインクを噴射して画像の記録を行った直後にディスクの回転が停止する。ユーザーは、画像記録面のインクが乾燥するのを待ってプリント装置からディスクを取り出す。しかしながら、画像記録面に画像を記録した後、自然にインクが乾燥するのを待っているだけでは、インクが乾燥するまでに多くの時間がかかってしまう。そのため、特に多数のディスクの画像記録面に画像を記録するときには多大な時間を要することとなる。また、単位時間当たりのプリント装置のディスク処理枚数が小さなものに留まってしまう。
【０００５】
本発明の目的は、画像が記録された後、画像記録面のインクを速やかに乾燥させることが可能な記録装置を提供することである。
【課題を解決するための手段及び発明の効果】
【０００６】
本発明の記録装置は、回転する被記録媒体に画像を記録する記録装置であって、被記録媒体を回転駆動する回転駆動装置と、被記録媒体の画像記録面にインクを噴射するインクジェットヘッドと、回転駆動手段により前記被記録媒体を回転させながら前記インクジェットヘッドにより前記画像記録面にインクを噴射する画像記録モードと、この画像記録モードの後に回転駆動手段により所定時間被記録媒体を回転させることにより画像記録面に噴射されたインクを乾燥させる乾燥モードとを切り替える制御手段とを有する。
【０００７】
これによると、被記録媒体を回転させながらその画像記録面にインクを噴射して画像を記録した後、さらに、回転駆動手段により所定時間被記録媒体を回転させることにより、画像記録面上における被記録媒体に対する空気の相対速度が静止時よりも大きくなる。したがって、画像記録面上のインクに当たる風の速度が大きくなり、インクの乾燥を促進することができる。
【０００８】
また、本発明の画像記録装置においては、前記制御手段は乾燥モードにおける被記録媒体の回転速度が画像記録モードにおける回転速度よりも速くなるように、回転駆動手段を制御してもよい。これによると、乾燥モードにおいて画像記録モードよりも被記録媒体の回転速度を速くすることにより、画像記録面上における被記録媒体に対する空気の相対速度が画像記録モードのときよりも大きくなり、インクの乾燥がさらに促進される。
【０００９】
また、本発明の記録装置においては、制御手段は、乾燥モードにおける被記録媒体の回転速度を周期的に変化させるように回転駆動手段を制御してもよい。被記録媒体を回転させると、被記録媒体の表面近傍の空気が粘性により被記録媒体に追従して画像記録面に沿って被記録媒体の回転方向に移動する空気流が生じ、この空気流の速度の分だけ空気の粘性がないとした仮想的な場合よりも画像記録面上における被記録媒体に対する空気の相対速度が低下する。しかし、これによると、被記録媒体の回転速度を周期的に変化させることにより、画像記録面近傍に空気の粘性により発生した空気流に乱れが生じ、この空気流の速度が低下する。したがって、画像記録面上における被記録媒体に対する空気の相対速度が大きくなり、インクの乾燥をさらに促進することができる。
【００１０】
また、本発明の記録装置は、被記録媒体の回転中心の近傍部から外周部に亙って画像記録面に近接して配置された遮蔽部材を有していてもよい。これによると、画像記録面近傍に空気の粘性により発生した空気流は遮蔽部材により乱され、その速度が低下する。したがって、画像記録面上の遮蔽部材に重なる領域及びその領域に対して被記録媒体の回転方向下流側に近接する領域における被記録媒体に対する空気の相対速度が大きくなるため、インクの乾燥をさらに促進することができる。
【００１１】
このとき、遮蔽部材は、インクジェットヘッドよりも被記録媒体の回転方向上流側に配置されていてもよい。これによると、画像記録モードにおいて被記録媒体を回転させたときに画像記録面近傍に空気の粘性により発生する空気流がインクジェットヘッドのノズルと画像記録面との間に流れ込むのを、インクジェットヘッドに対して回転方向上流側に配置された遮蔽部材により抑制することができるので、ノズルからインクを噴射したときにこの空気流に起因してインクの着弾位置がずれてしまうのを極力抑えることができる。
【００１２】
また、本発明の記録装置においては、遮蔽部材は、画像記録面に直交する方向から見て、被記録媒体の回転方向と直交する方向に対して傾斜していてもよい。これによると、空気の粘性により発生する空気流の多くを遮蔽部材により被記録媒体の内側又は外側へ流すことにより、遮蔽部材と画像記録面との間に流れ込む空気の粘性により発生する空気流の速度を低下させることができる。したがって、画像記録面上の遮蔽部材に重なる領域及びその領域に対して被記録媒体の回転方向下流側に近接する領域における被記録媒体に対する空気の相対速度が大きくなり、インクの乾燥がさらに促進される。
【００１３】
また、本発明の記録装置は、遮蔽部材に、回転方向下流側に行くほど画像記録面から離れるように傾斜した傾斜面が形成されていてもよい。これによると、被記録媒体の回転に伴って空気の粘性により発生する空気流の多くをこの傾斜面に沿って画像記録面から離れる方向に流すことにより、遮蔽部材と画像記録面との間に流れ込む空気の粘性により発生する空気流の速度を低下させることができる。したがって、画像記録面上の遮蔽部材に重なる領域及びその領域に対して被記録媒体の回転方向下流側に近接する領域における被記録媒体に対する空気の相対速度が大きくなり、インクの乾燥がさらに促進される。
【００１４】
また、本発明の記録装置においては、遮蔽部材は、画像記録面に近接する側に向かって、この画像記録面に直交する方向に延びる複数の遮蔽柱部を有していてもよい。これによると、遮蔽柱部により遮蔽部材と画像記録面との間に流れ込む空気流の移動を妨げることにより、遮蔽部材と画像記録面との間に流れ込む空気流の速度を低下させることができる。したがって、画像記録面上の遮蔽部材に重なる領域及びその領域に対して被記録媒体の回転方向下流側に近接する領域における被記録媒体に対する空気の相対速度が大きくなり、インクの乾燥がさらに促進される。
【００１５】
また、本発明の記録装置においては、遮蔽部材の内部に、被記録媒体とともにその回転方向上流側から流れてくる空気流を回転方向上流側へ戻す空気流路が形成されていてもよい。これによると、被記録媒体の回転に伴って空気の粘性により発生する空気流を、遮蔽部材内の空気流路で反転させて回転方向の上流側へ戻すことにより、遮蔽部材と画像記録面との間に流れ込む空気流の速度を低下させることができる。したがって、画像記録面上の遮蔽部材に重なる領域及びその領域に対して被記録媒体の回転方向下流側に近接する領域における被記録媒体に対する空気の相対速度が大きくなり、インクの乾燥がさらに促進される。
【００１６】
また、本発明の記録装置においては、遮蔽部材は、インクジェットヘッドが存在し得る領域を除いた被記録媒体と対向する領域の全域を占めるように配置されていてもよい。これによると、遮蔽部材が画像記録面の広範囲にわたって配置されていることにより、被記録媒体の回転に伴って空気の粘性により発生する空気流が遮蔽部材と画像記録面との間に流れ込むのが抑制され、画像記録面近傍の空気流の速度を低下させることができる。これにより、画像記録面上において光ディスクに対する空気の相対速度がその全域に亙って大きくなり、画像記録面のインクの乾燥がさらに促進される。
【００１７】
また、本発明の記録装置は、被記録媒体の画像記録面と反対側に形成されたデータ記録面にデータを記録するデータ記録ヘッドを備え、インクジェットヘッドと前記データ記録ヘッドが、被記録媒体に関して互いに反対側に配置されていてもよい。これによると、１つの記録装置で、画像記録面への画像の記録及びデータ記録面へのデータの記録の両方を行うことができる。さらに、インクジェットヘッドとデータ記録ヘッドとが、被記録媒体に関して互いに反対側に配置されているので、インクジェットヘッドのインクがデータ記録ヘッドに付着しにくくなる。これによりデータ記録ヘッドが故障しにくくなる。
【００１８】
本発明の記録装置は、回転する被記録媒体に画像を記録する記録装置であって、被記録媒体を回転駆動する回転駆動手段と、被記録媒体の画像記録面にインクを噴射するインクジェットヘッドと、被記録媒体の回転中心の近傍部から外周部に亙って画像記録面に近接して配置された遮蔽部材を有する。これによると、画像記録面に画像を記録する際に被記録媒体の回転に伴って空気の粘性により発生する空気流を遮蔽部材により乱し、遮蔽部材と画像記録面との間に流れ込む空気流の速度を低下させることができる。これにより、画像記録面上の遮蔽部材に重なる領域及びその領域に対して被記録媒体の回転方向下流側に近接する領域における被記録媒体に対する空気の相対速度が大きくなるため、画像記録面への画像の記録の途中において、インクの乾燥が促進される。
【発明を実施するための最良の形態】
【００１９】
［第１の実施の形態］
以下、本発明の第１の実施の形態について、図面を参照しつつ説明する。本実施の形態は、本発明の記録装置を、ＣＤ−Ｒ、ＣＤ−ＲＷのような光ディスクにデータの記録を行うためのディスクドライブに適用した一例である。
【００２０】
図１は本実施の形態に係るディスクドライブ１（記録装置）の外観斜視図である。図１に示すように、ディスクドライブ１の筐体は、いわゆるハーフハイトサイズなっており、一般的なＣＤ−ＲＯＭ、ＣＤ−Ｒ／ＲＷドライブと同じものを使用している。被記録媒体である光ディスクＤは、例えばＣＤ−Ｒ、ＣＤ−ＲＷなどであり、一表面に画像などを記録するための平面状の画像記録面Ｄａ（図２参照）、及び、これと反対側の面にデータを記録するための平面状のデータ記録面Ｄｂ（図２参照）を有する円形の板状体である。ディスクドライブ１は、この光ディスクＤの画像記録面Ｄａに画像を記録し、データ記録面Ｄｂにデータを記録する記録装置であり、図１に示すように、ディスクドライブ１内に光ディスクＤを挿入する、あるいは、ディスクドライブ１内から光ディスクＤを取り出すためのローディングトレイ２が設けられている。光ディスクＤは、画像記録面Ｄａを上（ローディングトレイ２と反対側）にして、ローディングトレイ２に搭載される。
【００２１】
図２は、図１においてローディングトレイ２に光ディスクＤが搭載され、ローディングトレイ２がディスクドライブ１内に挿入されたときのディスクドライブ１内の概略斜視図である。図２に示すように、ディスクドライブ１内において光ディスクＤは、回転駆動装置３に装着されている。なお、図２においては、回転駆動装置３の一部の図示は省略している。このとき、光ディスクＤの画像記録面Ｄａの上方にはインクジェットヘッド２２を有する画像記録装置４が配置され、インクジェットヘッド２２のインク噴射面２６（図５参照）と画像記録面Ｄａとが対向している。さらに、光ディスクＤの画像記録面Ｄａの上面には、画像記録装置４が配置されている位置から光ディスクＤの回転中心を軸として両側に９０°回転した位置に画像記録面に平行に、それぞれ直方体形状の遮蔽部材６が配置されている。
【００２２】
また、光ディスクＤのデータ記録面Ｄｂの下方には、画像記録装置４と光ディスクＤに関して反対側、つまり、光ディスクＤの中心に関して画像記録装置４と対角の位置に、データ記録ヘッド３２を有するデータ記録装置５が配置され、データ記録ヘッド３１のレーザ出射面３４（図５参照）とデータ記録面Ｄｂとが対向している。回転駆動装置３、画像記録装置４及びデータ記録装置５は、ディスクドライブ１内のＣＰＵ（Central Processing Unit）、ＲＯＭ（Read Only Memory）、ＲＡＭ（Random Access Memory）などからなる制御部７（図６参照）によってその動作が制御されている。
【００２３】
回転駆動装置３について図３を用いて説明する。図３は、図２の回転駆動装置３の側面図である。回転駆動装置３は、光ディスクＤを回転駆動する装置であり、図３に示すように、支持部材１１の上面にスピンドルモータ１２が配置されている。スピンドルモータ１２はその上端部に上方向に延びた回転軸１２ａを有し、回転軸１２ａにはその上面が円形の平面状になったターンテーブル１３が、その上面が回転軸１２ａに垂直になるように設置されている。光ディスクＤはこのターンテーブル１３の上面に画像記録面Ｄａが上になるように配置される。さらに、光ディスクＤの上面にはその下面が円形の平面状になったクランパ１４が配置され、光ディスクＤは、ターンテーブル１３とクランパ１４とにより挟持される。ここで、ターンテーブル１３には永久磁石が、クランパ１４には鉄片が内蔵されており、ローディングトレイ２がディスクドライブ１内に挿入されたときにクランパ１４は磁気力によりターンテーブル１３に引き寄せられて光ディスクＤの上面に移動する。回転駆動装置３は、画像記録装置４により画像記録面Ｄａに画像を記録する際、画像を記録した後、画像記録面Ｄａのインクを乾燥させる際、及び、データ記録装置５によりデータ記録面Ｄｂにデータを記録する際にスピンドルモータ１２の回転軸１２ａを回転させて、ターンテーブル１３及びクランパ１４を回転させることにより、これらに挟持された光ディスクＤを回転駆動する。
【００２４】
次に、画像記録装置４について図２、図４及び図５を用いて説明する。図４は図２に描かれた画像記録装置４及びデータ記録装置５の平面図であり、図５は図２に描かれた画像記録装置４及びデータ記録装置５の側面図である。但し、図４、図５では、回転駆動装置３の一部のみを図示している。
【００２５】
図２、図４及び図５に示すように、画像記録装置４は、インクジェットヘッド２２を有するキャリッジ２１、２本のガイド軸２３、インク供給チューブ２４及びＦＦＣ（フレキシブルフラットケーブル）２５を有する。キャリッジ２１はインクジェットヘッド２２と共に、２本のガイド軸２３によりガイド軸２３に沿って移動自在に支持されている。２本のガイド軸２３は、互いに平行に配置された円柱形の棒状体であり、光ディスクＤの内側から外側、つまり、光ディスクＤの半径方向に画像記録面Ｄａに平行になるように延びている。
【００２６】
インクジェットヘッド２２は、シリアル式のインクジェットヘッドであり、画像記録面Ｄａにインクを噴射する複数のノズル２７を有している。インクジェットヘッド２２の下面は、ガイド軸２３に平行な平面状のインク噴射面２６となっており、インク噴射面２６には多数のノズル２７の出射口が光ディスクＤの半径方向に沿って一列に形成されている。図４では、図面を簡略化するため、多数のノズル２７のうち１２個だけを示している。
【００２７】
インク供給チューブ２４はインクジェットヘッド２２と図示しないインクタンクとを接続しており、インクチューブ２４を介して、インクタンクからインクジェットヘッド２２にインクが供給される。ＦＦＣ２５はインクジェットヘッド２２の図示しないアクチュエータに接続されており、ＦＦＣ２５の上方に設けられた図示しないドライバＩＣからアクチュエータに駆動電圧が印加される。そして、インクジェットヘッド２２は、アクチュエータに駆動電圧を印加して複数のノズル２７の各々に連通した図示しない圧力室に圧力を付与することによりノズル２７からインクを噴射する。このように、インクジェットヘッド２２は、ノズル２７から画像記録面Ｄａにインクを噴射しながら、ガイド軸２３に沿って光ディスクＤの半径方向に移動することにより画像の記録を行う。また、画像記録装置４は、画像記録面Ｄａにデータの書き込みを行わないときは、ガイド軸２３に沿って平面視で光ディスクＤに重なる位置よりも外側にある図示しない退避位置にキャリッジ２１を移動させることもできる。
【００２８】
次に、データ記録装置５について図２、図４及び図５を用いて説明する。データ記録装置５は、図２、図４及び図５に示すように、キャリッジ３１と２本のガイド軸３３とを有する。キャリッジ３１はデータ記録ヘッド３２を有し、データ記録ヘッド３２と共に２本のガイド軸３３に沿って移動自在に支持されている。データ記録ヘッド３２の上面（データ記録面Ｄｂと対向する面）は、データ記録面Ｄｂに平行なレーザ出射面３４となっており、レーザ出射面３４からデータ記録面Ｄｂにレーザ光線を照射することが可能となっている。２本のガイド軸３３は、互いに平行に並んだ円柱形の棒状体であり、光ディスクＤの内側から外側、つまり、光ディスクＤの半径方向に延びており、データ記録面Ｄｂに平行に配置されている。データ記録ヘッド３２は、ガイド軸３３に沿って光ディスクＤの半径方向に移動しながら、レーザ出射面３４からデータ記録面Ｄｂにレーザ光線を照射してデータの記録を行う。また、データ記録装置５は、データ記録面Ｄｂにデータの書き込みを行わないときは、ガイド軸３３に沿って平面視で光ディスクＤに重なる位置よりも外側にある図示しない退避位置にキャリッジ３１を移動することもできる。
【００２９】
次に、遮蔽部材６について図４、図５を用いて説明する。図４、図５に示すように、２つの遮蔽部材６は同じサイズの直方体形状であり、それぞれが光ディスクＤの回転中心の近傍部から外周部に亙って画像記録面Ｄａに近接して延びている。つまり、その最長辺が平面視で光ディスクＤの回転中心部から光ディスクＤを半径方向に横切って延び、その下面が画像記録面Ｄａと平行にこれに近接して配置されている。遮蔽部材６の作用については、後で詳細に説明する。
【００３０】
次に、制御部７について図６を用いて説明する。図６は、制御部７の電気的構成を表すブロック図である。制御部７は、ＰＣ（Personal Computer）１００からの指示に従ってディスクドライブ１の各装置の制御を行う。ＰＣ１００は、画像記録面Ｄａに記録する画像データ及びデータ記録面Ｄｂへ記録する記録データの作成や保存、制御部７へ画像データ及び記録データの送信、画像の記録やデータ記録の開始の指示などを行うための装置である。また、制御部７は、モード切替部４１、データ記録制御部４２、印字ヘッド制御部４３及び機構制御部４４を有する。
【００３１】
図６に示すように、モード切替部４１は、制御装置７の動作モードの切り替えを行う部分であり、データ記録モード、画像記録モード及び乾燥モードの切り替えを行う。データ記録モードは、回転駆動装置３により光ディスクＤを回転させながらデータ記録ヘッド３２からデータ記録面Ｄｂにレーザ光線を照射してデータの記録を行うモードである。画像記録モードは、回転駆動装置３を用いて光ディスクＤを回転させながらインクジェットヘッド２２から画像記録面Ｄａにインクを噴射して画像の記録を行うモードである。乾燥モードは、画像記録モードにおいて画像記録面Ｄａに画像の記録を行った後に、回転駆動装置３により所定時間光ディスクＤを回転させることにより画像記録モードにおいて画像記録面Ｄａに噴射されたインクを乾燥させるモードである。データ記録モード、画像記録モード及び乾燥モードにおける各装置の動作については、後で詳細に説明する。
【００３２】
データ記録制御部４２は、データ記録面Ｄｂにデータを記録する際のデータ記録ヘッド３２の制御を行う部分であり、記録データ生成部４５を有する。記録データ生成部４５は、ＰＣ１００から送られてきた記録データに変調や誤り訂正符号の付加等を行うことにより光ディスクＤの種類（ＣＤ−Ｒ、ＣＤ−ＲＷなど）に応じて、そのフォーマットに対応したデータを生成する。そして、記録データ生成部４５で生成したデータに基づいてデータ記録ヘッド３２からデータ記録面Ｄｂにレーザ光線を照射するタイミング、照射時間などを制御する。
【００３３】
印字ヘッド制御部４３は、インクジェットヘッド２２を制御する部分であり、駆動信号生成部４６を有する。駆動信号生成部４６は、画像記録面Ｄａに記録する画像データに基づいて、インクジェットヘッド２２の図示しないアクチュエータに印加する駆動電圧の信号を生成する。そして、生成した駆動電圧の信号に基づいてインクジェットヘッド２２の制御を行う。
【００３４】
機構制御部４４は、ディスクドライブ１の各機構を制御し、回転駆動装置３のスピンドルモータ１２の回転速度の制御、画像を記録する際に画像記録装置４のキャリッジ２１を移動させるインクジェットヘッド送り機構２５及びデータを記録する際にデータ記録装置５のキャリッジ３１を移動させるデータ記録ヘッド送り機構３５の制御を行う。
【００３５】
次に、ディスクドライブ１において、光ディスクＤにデータの記録及び画像の記録を行う手順について図７のフローチャート及び図８を用いて説明する。図８は、図５の遮蔽部材６近傍を拡大した側面図である。ＰＣ１００からデータ記録面Ｄｂに記録する記録データ及び画像記録面Ｄａに記録する画像データが送られると、モード切替部４１はディスクドライブ１をデータ記録モードに切り替える（ステップＳ１００：以下Ｓ１００と称する。他のステップも同様）。データ記録モードに切り替わると、データ記録制御部４２は、記録データ生成部４５によりＰＣ１００から送られてきたデータから光ディスクＤのフォーマットに対応したデータを生成する。機構制御部４４は、キャリッジ３１を移動させ、データ記録ヘッド３２を退避位置から平面視でデータ記録面Ｄｂに重なる位置まで移動させる。
【００３６】
次に、データ記録面Ｄｂにデータを記録する（Ｓ１０１）。データ記録面Ｄｂへのデータの記録の際には、機構制御部４４はスピンドルモータ１２を例えば、４０００ｒｐｍ程度の所定の速度で回転させるように制御して光ディスクＤを回転させる。これと同時に、データ記録制御部４２は記録データ生成部４５により生成されたデータに基づいてレーザ光線の照射のタイミング及び照射時間を制御して、データ記録ヘッド３２にレーザ出射面３４からデータ記録面Ｄｂへレーザを照射させてデータ記録面Ｄｂへのデータの記録を行う。このとき、機構制御部４４は、レーザ光線の照射のタイミング及び照射時間に合わせてデータ記録ヘッド送り機構３５を制御してキャリッジ３１をガイド軸３３に沿って移動させる。
【００３７】
このような動作を全記録データの記録が終了するまで（Ｓ１０２：Ｎｏ）繰り返し行い、全記録データの記録が終了すると（Ｓ１０２：Ｙｅｓ）、ＰＣ１００から画像記録面Ｄａに記録する画像データが送られてきていない場合（Ｓ１０３：Ｎｏ）には、画像記録面Ｄａへの画像の記録は行わないので、スピンドルモータ１２の回転を終了させ、且つ、キャリッジ３１を退避位置に戻すなど、各装置を初期状態の戻して（Ｓ１１０）動作を終了する。一方、画像データが送られてきている場合（Ｓ１０３：Ｙｅｓ）には、モード切替部４１によりデータ記録モードから画像記録モードへの切り替えが行われる（Ｓ１０４）。画像記録モードへの切り替えが行われると、機構制御部４４はキャリッジ２１をガイド軸２３に沿って移動させ、インクジェットヘッド２２を画像記録面Ｄａに対向する位置まで移動させるとともに、キャリッジ３１を移動させて画像記録装置５を退避位置に戻す。印字ヘッド制御部４３は、駆動信号生成部４６において、送られてきた画像データに基づいてインクジェットヘッド２２を駆動させる駆動信号を生成する。このほか、各装置において画像の記録に必要な準備が行われる。
【００３８】
次に、機構制御部４４によりスピンドルモータ１２を例えば２００ｒｐｍ程度の所定速度で回転させるように制御することにより光ディスクＤを回転させ、これと同時に、印字ヘッド制御部４３が駆動信号生成部４６で生成した駆動信号に基づいてインクジェットヘッド２２からインクを噴射させて画像記録面Ｄａへの画像の記録を行う（Ｓ１０５）。このとき、機構制御部４４は、インク噴射のタイミングに合わせてインクジェットヘッド送り機構２５を制御してキャリッジ２１をガイド軸２３に沿って移動させる。
【００３９】
この動作を、画像記録面Ｄａへの画像の記録が終了するまで続け（Ｓ１０６：Ｎｏ）、画像の記録が終了すると（Ｓ１０６：Ｙｅｓ）、モード切替部４１は、画像記録モードから乾燥モードへの切り替えを行う（Ｓ１０７）。乾燥モードに切り替わると、機構制御部４４はスピンドルモータ１２の回転速度をデータ記録モードよりも速い回転速度に設定する。このほか、各装置において画像記録面Ｄａ上のインクを乾燥させるための準備が行われる。
【００４０】
次に、機構制御部４４が回転速度を制御して回転駆動装置３のスピンドルモータ１２を回転させて光ディスクＤを回転させる（Ｓ１０８）。乾燥モードにおいては、機構制御部４４は光ディスクＤの回転速度を周期的に変化させ、かつ、光ディスクＤの回転速度が画像記録モードにおける光ディスクＤの回転速度よりも速くなるように、スピンドルモータ１２を回転させる。例えば、約３秒間の周期で回転速度が２００ｒｐｍと６０００ｒｐｍを交互に繰り返すように制御する。
【００４１】
光ディスクＤが回転すると、図８に示すように、画像記録面Ｄａ近傍の空気が粘性により光ディスクＤに追従して画像記録面Ｄａに沿って光ディスクＤの回転方向に移動する空気流Ｗが発生する。空気流Ｗは、画像記録面Ｄａに近いほどその速度が大きくなっている。空気流Ｗが発生していない仮想的な場合においては、回転している光ディスクＤに対する空気の相対速度Ｖは、光ディスクＤの回転の方向と逆向きで光ディスクＤの回転速度Ｖｄと同じ大きさを有する速度になる（Ｖ＝Ｖｄ）が、発生した空気流Ｗの速度Ｖｗだけこの相対速度が小さくなる（Ｖ＝Ｖｄ−Ｖｗ）。
【００４２】
しかし、本実施の形態では、空気流Ｗは遮蔽部材６に衝突して、その一部が遮蔽部材６に沿って上方、光ディスクＤの半径方向の内側及び外側などに空気流Ｗｂとして流され、残りの空気が遮蔽部材６と画像記録面Ｄａとの間に空気流Ｗａとして流れ込む。このとき、空気流Ｗａの速度は低下しており（Ｖｗ＞Ｖｗａ）、空気流の速度が低下した分だけ、画像記録面Ｄａにおける光ディスクＤに対する空気の相対速度が大きくなる（Ｖ＝Ｖｄ−Ｖｗａ）。これにより、画像記録面Ｄａの遮蔽部材６に重なる領域及びその領域に対して光ディスクＤの回転方向下流側に近接する領域における光ディスクＤに対する空気の相対速度が大きくなり、インクの乾燥が促進される。
【００４３】
また、光ディスクＤの回転速度Ｖｄが周期的に変化すると、画像記録面Ｄａ近傍の空気が粘性により光ディスクＤの回転速度の変化に追従して画像記録面Ｄａに沿って光ディスクＤの回転方向に移動する空気流Ｗに乱れが発生する。この乱れによって、空気流Ｗの速度Ｖｗは低下するので、画像記録面Ｄａにおける光ディスクＤに対する空気の相対速度は大きくなる。これにより画像記録面Ｄａに付着したインクの乾燥がさらに促進される。
【００４４】
さらに、乾燥モードにおいて、光ディスクＤは、画像記録モードよりも速い回転速度Ｖｄで回転しているので、乾燥モードにおける画像記録面Ｄａにおける光ディスクＤに対する空気の相対速度Ｖは画像記録モードのときよりも速くなっている。したがって、画像記録面Ｄａに付着したインクの乾燥はさらに促進される。
【００４５】
所定時間が経過するまで（Ｓ１０９：Ｎｏ）、スピンドルモータ１２の回転を続け、所定時間が経過したとき（Ｓ１０９：Ｙｅｓ）に、機構制御部４４はスピンドルモータ１２の回転を止め、キャリッジ２１を退避位置に移動させるなど、各装置を初期状態に戻して（Ｓ１１０）動作を終了する。このとき、画像記録面Ｄａのインクは乾燥しているので、ディスクドライブ１から光ディスクＤを取り出すことが可能となっている。
【００４６】
以上説明した実施の形態によると、画像記録モードにおいて画像記録面Ｄａに画像の記録を行った後、さらに、乾燥モードにおいてスピンドルモータ１２で光ディスクＤを回転させることにより、画像の記録を行った後、光ディスクＤを静止させている場合よりも画像記録面Ｄａにおける光ディスクＤに対する空気の相対速度Ｖが大きくなるので、画像記録面Ｄａに付着したインクの乾燥を促進することができる。
【００４７】
このとき、機構制御部４４では、乾燥モードにおけるスピンドルモータ１２の回転速度Ｖｄが、画像記録モードにおけるスピンドルモータ１２の回転速度よりも常に速くなるように回転駆動装置３の制御を行うため、画像記録面Ｄａにおける光ディスクＤに対する空気の相対速度Ｖが画像記録時よりも大きくなり、画像記録面Ｄａに付着したインクの乾燥はさらに促進される。
【００４８】
さらに、機構制御部４４は、乾燥モードにおけるスピンドルモータ１２の回転速度を周期的に変化させるように回転駆動装置３を制御しているので、光ディスクＤの回転により発生する画像記録面Ｄａ上の空気流に乱れが生じ、その速度が低下するため、画像記録面Ｄａにおける光ディスクＤに対する空気の相対速度が大きくなる。したがって、画像記録面Ｄａに付着したインクの乾燥がさらに促進される。
【００４９】
加えて、画像記録面Ｄａの上方には、光ディスクＤの半径方向に延びた遮蔽部材６が配置されているので、乾燥記録モードにおいて、光ディスクＤを回転させることにより発生する空気流Ｗが遮蔽部材６により乱されてその速度が低下するので、画像記録面Ｄａの遮蔽部材６に重なる領域及びその領域に対して光ディスクＤの回転方向下流側に近接する領域における光ディスクＤに対する空気の相対速度が大きくなる。これにより、画像記録面Ｄａ付着したインクの乾燥がさらに促進される。
【００５０】
また、画像記録面Ｄａに画像の記録を行なう際の光ディスクＤの回転によっても、画像記録面Ｄａ近傍には空気の粘性により空気流が発生する。しかし、遮蔽部材６によりこの空気流に乱れが生じるため、画像記録面Ｄａの遮蔽部材６に重なる領域及びその領域に対して光ディスクＤの回転方向下流側に近接する領域における光ディスクＤに対する空気の相対速度が大きくなり、画像記録面Ｄａへの画像の記録の途中においてもこの領域においてインクの乾燥が促進される。さらに、遮蔽部材６の１つは、インクジェットヘッド２２の光ディスクＤの回転方向上流側であるインクジェットヘッド２２から光ディスクＤの回転方向と逆方向に９０°回転した位置に配置されているので、画像記録面Ｄａ近傍の空気流は、インクジェットヘッド２２の上流側において遮蔽部材６により乱され、インク噴射面２６と画像記録面Ｄａとの間への流れ込みが抑制される。これにより、ノズル２７から噴射されたインクが空気流により流されその着弾位置がずれてしまうのを極力抑制することができる。なお、インクジェットヘッド２２の回転方向上流側とは、インクジェットヘッド２２に対する光ディスクＤの回転方向と逆方向の回転角が１８０°以下の領域、すなわち、平面視で図４の光ディスクＤの左半分に重なる領域を表している。
【００５１】
また、ディスクドライブ１においては、画像記録装置４が配置されている画像記録面Ｄａと反対側のデータ記録面Ｄｂの下方にデータ記録装置５が配置されているので、１つの装置で画像記録面Ｄａの画像の記録とデータ記録面Ｄｂへのデータの記録の両方を行うことができる。さらに、画像記録装置４とデータ記録装置５とが光ディスクＤの回転の中心に関して対角の位置にあるので、インクジェットヘッド２２から噴射されたインクがデータ記録ヘッド３２に付着しにくくなる。これにより、データ記録ヘッド３２が故障しにくくなる。
【００５２】
［第２の実施の形態］
次に第２の実施の形態について説明する。第２の実施の形態は、画像記録モードにおいて画像記録面に画像を記録した後、乾燥モードに切り替えてインクの乾燥を行なわないことが第１の実施の形態と異なる。
【００５３】
図９は本実施の形態におけるデータの記録及び画像の記録を行なう際のディスクドライブ１における処理を表すフローチャートである。本実施の形態においては、第１の実施の形態の場合と同様、ＰＣ１００からデータ記録面Ｄｂに記録する記録データ及び画像記録面Ｄａに記録する画像データが送られると、モード切替部４１はディスクドライブ１をデータ記録モードに切り替え（Ｓ２００）、データ記録のための準備を行なう。
【００５４】
次に、機構制御部４４はスピンドルモータ１２を例えば４０００ｒｐｍ程度の所定の回転速度で回転させることにより光ディスクＤを回転させるとともに、データ記録制御部４２は記録データ生成部４５により生成されたデータに基づいてレーザ光線の照射のタイミング及び照射時間を制御して、データ記録ヘッド３２にレーザ出射面３４からデータ記録面Ｄｂへレーザ光線を照射させてデータ記録面Ｄｂへのデータの記録を行う（Ｓ２０１）。このとき、機構制御部４４は、レーザ光線の照射のタイミング及び照射時間に合わせてデータ記録ヘッド送り機構３５を制御してキャリッジ３１をガイド軸３３に沿って移動させる。
【００５５】
このような動作を全記録データの記録が終了するまで（Ｓ２０２：Ｎｏ）繰り返し行い、全記録データの記録が終了すると（Ｓ２０２：Ｙｅｓ）、ＰＣ１００から画像記録面Ｄａに記録する画像データが送られてきていない場合（Ｓ２０３：Ｎｏ）には、画像記録面への画像の記録は行わないので、キャリッジ３１を退避位置に戻すなど、各装置を初期状態の戻して（Ｓ２０７）動作を終了する。一方、画像データが送られてきている場合（Ｓ２０３：Ｙｅｓ）には、モード切替部４１によりデータ記録モードから画像記録モードへの切り替えが行われ（Ｓ２０４）、各装置において画像の記録に必要な準備が行われる。
【００５６】
次に、機構制御部４４によりスピンドルモータ１２を例えば２００ｒｐｍ程度の所定の回転速度で回転させることにより光ディスクＤを回転させ、これと同時に、印字ヘッド制御部４３が駆動信号生成部４６で生成した駆動信号に基づいてインクジェットヘッド２２のノズル２７からインクを噴射させて画像記録面Ｄａへの画像の記録を行う（Ｓ２０５）。機構制御部４４は、インクの噴射のタイミングに合わせてインクジェットヘッド送り機構２５を制御してキャリッジ２１をガイド軸２３に沿って移動させる。
【００５７】
このとき、光ディスクＤが回転すると、第１の実施の形態の場合と同様、画像記録面Ｄａ近傍の空気が粘性により光ディスクＤに追従して画像記録面Ｄａに沿って光ディスクＤの回転方向に移動する空気流が発生し、発生した空気流の速度だけ画像記録面Ｄａにおける光ディスクＤに対する空気の相対速度が小さくなる。
【００５８】
しかし、本実施の形態でも、空気流は遮蔽部材６に衝突して、その一部が遮蔽部材６に沿って上方、光ディスクＤの半径方向の内側及び外側などに流され、残りの空気が遮蔽部材６と画像記録面Ｄａとの間に流れ込む。このとき、空気流の速度は低下しており、空気流の速度が低下した分だけ、画像記録面Ｄａにおける光ディスクＤに対する空気の相対速度が大きくなる。これにより、画像記録面Ｄａ上の遮蔽部材６に重なる領域及びその領域に対して光ディスクＤの回転方向下流側に近接する領域における光ディスクＤに対する空気の相対速度が大きくなり、インクの乾燥が促進される。
【００５９】
さらに、遮蔽部材６の１つは、インクジェットヘッド２２の光ディスクＤの回転方向上流側であるインクジェットヘッド２２から光ディスクＤの回転方向と逆方向に９０°回転した位置に配置されているので、画像記録面Ｄａ近傍の空気流は、インクジェットヘッド２２の上流側において遮蔽部材６により乱され、空気流がインクジェットヘッド２２のノズル２７の出射口が配置されたインク噴射面２６と画像記録面Ｄａとの間に流れ込むのが抑制される。これにより、ノズル２７から噴射されたインクが空気流により流されその着弾位置がずれてしまうのを極力抑制することができる。
【００６０】
この動作を、画像記録面Ｄａへの画像の記録が終了するまで続け（Ｓ２０６：Ｎｏ）、画像の記録が終了すると（Ｓ２０６：Ｙｅｓ）、キャリッジ２１を退避位置に戻すなど、各装置を初期状態の戻して（Ｓ２０７）動作を終了する。
【００６１】
次に、第１及び第２の実施の形態に種々の変更を加えた変形例について説明する。尚、第１及び第２の実施の形態と同一の構成を有するものには同一の符号を付し、適宜その説明を省略する。
【００６２】
図１０に示すように、遮蔽部材７１が画像記録面に直交する方向から見て光ディスクＤの回転方向に直交する方向に対して傾斜していてもよい（変形例１）。つまり、遮蔽部材７１の側面が光ディスクＤの半径方向に対して、光ディスクＤの回転中心から外側に離れるほど、光ディスクＤの回転方向の下流側になるように傾斜していてもよい。この場合、光ディスクＤを回転させることにより発生する空気流Ｗの一部を遮蔽部材７１の傾斜した側面に沿って光ディスクＤの回転中心から外側に離れる方向に空気流Ｗｃとして流れさせて、遮蔽部材７１と画像記録面Ｄａとの間に流れ込む空気流の速度を低下させることができる。また、遮蔽部材７１が、光ディスクＤの回転中心から外側に離れるほど、光ディスクＤの回転方向の上流側になるように傾斜していてもよい。この場合は、空気流を光ディスクＤの回転中心に近づく方向に流すことにより、遮蔽部材７１と画像記録面Ｄａとの間に流れ込む空気流の速度を低下させることができる。これにより、画像記録面Ｄａ上の遮蔽部材６に重なる領域及びその領域に対して光ディスクＤの回転方向下流側に近接する領域における光ディスクＤに対する空気の相対速度がさらに大きくなり、画像記録面Ｄａのインクの乾燥がさらに促進される。
【００６３】
図１１に示すように、遮蔽部材７２に、回転方向上流側の端部で画像記録面Ｄａに最も近接し、回転方向下流側に行くほど画像記録面Ｄａから離れるように傾斜した傾斜面７２ａが形成されていてもよい（変形例２）。この場合、光ディスクＤを回転させたときに発生する空気流Ｗの一部をこの傾斜面に沿って上方に空気流Ｗｅとして流れさせることにより、遮蔽部材７２と画像記録面Ｄａとの間に流れ込む空気流Ｗｄの速度を低下させることができる。これにより、画像記録面Ｄａ上の遮蔽部材６に重なる領域及びその領域に対して光ディスクＤの回転方向下流側に近接する領域における光ディスクＤに対する空気の相対速度がさらに大きくなり、画像記録面Ｄａのインクの乾燥がさらに促進される。
【００６４】
図１２、図１３に示すように、遮蔽部材７３が画像記録面Ｄａに近接する側に向かって画像記録面Ｄａに直交する方向に延びる複数の遮蔽柱部７４を有していてもよい（変形例３）。つまり、遮蔽部材７３の下面から画像記録面Ｄａに向かって上下方向に延びた複数の円柱形状の遮蔽柱部７４が形成されていてもよい。この場合、遮蔽柱部７４が光ディスクＤを回転させたときに発生する空気流を妨げ、その一部を遮蔽部材７３の上方にＷｇとして流したり、遮蔽柱部７４の間を空気流Ｗｈとして通過させたりすることにより、遮蔽部材７３と画像記録面Ｄａとの間に流れ込む空気流Ｗｆの速度を低下させることができる。これにより、画像記録面Ｄａ上の遮蔽部材６に重なる領域及びその領域に対して光ディスクＤの回転方向下流側に近接する領域における光ディスクＤに対する空気の相対速度がさらに大きくなり、画像記録面Ｄａのインクの乾燥がさらに促進される。
【００６５】
図１４に示すように、遮蔽部材７５の内部に、光ディスクＤとともにその回転方向上流側から流れてくる空気流を回転方向上流側へ戻す空気流路７６が形成されていてもよい（変形例４）。つまり、遮蔽部材７５の光ディスクＤの回転方向の上流側の端部から回転方向の下流側に向けて上方向に傾斜して延び、さらに、回転方向の下流側から上流側に向けて下方向に傾斜して延びて遮蔽部材７５の下面に到達する空気流路７６が形成されていてもよい。この場合、光ディスクＤの回転とともに発生する空気流Ｗの一部が、空気流路７６内に流れ込むと、遮蔽部材７５の下面に向けて空気流Ｗｊとして光ディスクＤの回転方向の下流側から上流側に向かって流れ込むことになるので、遮蔽部材７５と画像記録面Ｄａとの間に流れ込む空気流Ｗｉの速度を低下させることができる。これにより、画像記録面Ｄａ上の遮蔽部材６に重なる領域及びその領域に対して光ディスクＤの回転方向下流側に近接する領域における光ディスクＤに対する空気の相対速度がさらに大きくなり、画像記録面Ｄａのインクの乾燥がさらに促進される。
【００６６】
図１５に示すように、遮蔽部材７７がインクジェットヘッド２２が存在し得る領域を除いた光ディスクＤと対向する領域の全域を占めるように配置されていてもよい（変形例５）。つまり、光ディスクＤと対向する領域のうち、キャリッジ２１とともにインクジェットヘッド２２がガイド軸２３に沿って移動可能な範囲を除いて全ての部分に遮蔽部材７７が形成されていてもよい。この場合、遮蔽部材７７によりインクジェットヘッド２２が配置された部分を除く領域において遮蔽部材７７と画像記録面Ｄａとの間に空気が流れ込むのが抑制され、この領域において空気流の速度が低下する。また、遮蔽部材７７は、インクジェットヘッド２２のすぐ上流側の部分にも形成されているので、画像記録面Ｄａとインクジェットヘッド２２のインク噴射面２６との間に空気流が流れ込むのが抑制される。これにより、画像記録時に光ディスクＤの回転と共に発生する空気流によりインクの着弾位置がずれてしまうのを防止することができる。
【００６７】
以上においては、シリアル式のインクジェットヘッドについて説明したが、これに限られず、図１６に示すようにインクジェットヘッド７８がノズル列７９が光ディスクＤの画像記録面Ｄａの内側端から外側端までに亙って延在しているライン式のインクジェットヘッドであってもよい（変形例６）。
【００６８】
また、本発明においては、乾燥モードにおける光ディスクＤの回転速度を、画像記録モードにおける回転速度よりも速くすることに限られず、画像記録モードと同じ速度あるいはそれよりも遅い速度で回転させてもよい。さらに、本発明においては、乾燥モードにおける光ディスクＤの回転速度を周期的に変化させることに限られず、常に一定の速度で回転させたり、回転速度をランダムに変更してもよい。
【００６９】
また、本発明においては、遮蔽部材が光ディスクＤの回転中心近傍部から外周部に亙って配置されていることには限られず、その領域のうちの一部にのみ配置されていてもよいし、遮蔽部材が配置されていなくてもよい。
【００７０】
以上においては、ＣＤ−Ｒ、ＣＤ−ＲＷのような光ディスクＤの画像記録面Ｄａに画像を記録する装置について説明したが、これに限られず、データの記録を行なうためのデータ記録面を有しないような被記録媒体や円形以外の被記録媒体に画像を記録することも可能である。また、データ記録装置５は備えられておらず、画像の記録のみを行う装置であってもよい。
【図面の簡単な説明】
【００７１】
【図１】本発明の第１の実施の形態に係るディスクドライブ１の外観斜視図である。
【図２】図１のローディングトレイがディスクドライブ内に挿入されたときの内部の状態を表す概略斜視図である。
【図３】図２の回転駆動装置の側面図である。
【図４】図２の平面図である
【図５】図２の側面図である。
【図６】図１のディスクドライブの電気的構成を表すブロック図である。
【図７】図１のディスクドライブの動作を表すフローチャートである。
【図８】第２の実施の形態における図７相当のフローチャートである。
【図９】図５の遮蔽部材近傍の拡大図である。
【図１０】変形例１の図４相当の平面図である。
【図１１】変形例２の図６相当の側面図である。
【図１２】変形例３の図４相当の平面図である。
【図１３】変形例３の図６相当の側面図である。
【図１４】変形例４の図６相当の側面図である。
【図１５】変形例５の図４相当の平面図である。
【図１６】変形例６の図４相当の平面図である。
【符号の説明】
【００７２】
１  ディスクドライブ
３  回転駆動装置
６  遮蔽部材
７  制御部
２２  インクジェットヘッド
３２  データ記録ヘッド
【図１】
2006272915.tif 000003
【図２】
2006272915.tif 000004
【図３】
2006272915.tif 000005
【図４】
2006272915.tif 000006
【図５】
2006272915.tif 000007
【図６】
2006272915.tif 000008
【図７】
2006272915.tif 000009
【図８】
2006272915.tif 000010
【図９】
2006272915.tif 000011
【図１０】
2006272915.tif 000012
【図１１】
2006272915.tif 000013
【図１２】
2006272915.tif 000014
【図１３】
2006272915.tif 000015
【図１４】
2006272915.tif 000016
【図１５】
2006272915.tif 000017
【図１６】
2006272915.tif 000018